(57)【要約】【課題】小さな力で、多数の洗濯ばさみの挟持部を同時に開くことができる洗濯物干しハンガー提供する。【解決手段】開閉軸４を中心として開閉し、洗濯物を挟持する一対の挟持部６，６と、閉じることにより前記挟持部６を開く一対の作用部７，７と、前記挟持部７を閉方向に付勢する付勢部材８と、を有する洗濯ばさみ３を複数個、支持枠２に対して吊下げた洗濯物干しハンガーであって、前記一方の作用部７に第１連結紐１３の一方を取付け、他方の作用部７に第２連結紐１４の一方を取付け、両連結紐１３，１４の一部が内部に挿通されるとともに、両連結紐１３，１４に対して移動可能な締め部材１２を設け、該締め部材１２内に、各連結紐１３，１４に当接し、連結紐１３，１４の移動とともに回転する回転体を少なくとも２個設け、前記連結紐１３，１４の長手方向の一方を、前記支持枠２方向に移動させる牽引手段を有し、前記牽引手段により、前記挟持部６を開く。【選択図】  図５
2013000481.tif 000002
【特許請求の範囲】
【請求項１】
開閉軸を中心として開閉し、洗濯物を挟持する一対の挟持部と、閉じることにより前記挟持部を開く一対の作用部と、前記挟持部を閉方向に付勢する付勢部材と、を有する洗濯ばさみを複数個、支持枠に対して吊下げた洗濯物干しハンガーであって、
前記一方の作用部に第１連結紐の長手方向の一方を取付け、他方の作用部に第２連結紐 の長手方向の一方を取付け、
両連結紐の一部が内部に挿通されるとともに、両連結紐に対して移動可能な締め部材を設け、該締め部材内に、各連結紐に当接し、かつ、この連結紐の移動とともに回転する回転体を少なくとも２個設け、
前記連結紐の長手方向の一方を、前記支持枠方向に移動させる牽引手段を有し、
前記牽引手段により、両連結紐の長手方向の一方を支持枠方向に移動させると、前記締め部材が前記支持枠方向に移動し、前記締め部材が、前記支持枠に当接した後も、更に、前記牽引手段により、両連結紐の長手方向の一方を支持枠方向に移動させると、前記挟持部を開くことを特徴とする洗濯物干しハンガー。
【請求項２】
前記洗濯物干しハンガーは、開閉可能な取外し具を備え、
前記取外し具は、前記牽引手段に係止し、
前記取外し具を閉じることにより、前記両連結紐の長手方向の一方を、支持枠方向に移動させて、前記挟持部が開くことを特徴とする請求項１記載の洗濯物干しハンガー。
【発明の詳細な説明】
【技術分野】
【０００１】
本発明は、洗濯物干しハンガーに関する。
【背景技術】
【０００２】
従来、洗濯物干しハンガーに掛けた複数の洗濯物を、その取り込む際に、一度に取外すことができる洗濯物干しハンガーとして下記のものが知られている。
【０００３】
例えば、洗濯物干しハンガーは、フレームと、該フレームとの間隔を変えることができる移動可能な多数の洗濯ばさみと、を有し、該洗濯ばさみは、洗濯物を挟持する一対の挟持部と、該挟持部を開閉するための一対の作用部と、前記挟持部を閉じる方向に付勢するバネ材を有している。前記各洗濯ばさみには、その一方の作用部に固定し、他方の作用部に設けた貫通穴に挿通する牽引紐を設け、各洗濯ばさみの牽引紐は、フレームに設けた取付穴に挿通した後にレバーに集結されている。そして、このレバーを手で引くと、多数の洗濯ばさみがフレーム方向に移動して、夫々の他方の作用部がフレーム等に当接し、更に牽引紐を引くと、各洗濯ばさみの両作用部が閉じて、挟持部が開き、多数の洗濯ばさみから同時に洗濯物が外れるものが知られている（例えば、特許文献１参照）。
【先行技術文献】
【特許文献】
【０００４】
【特許文献１】特開２００６−３４０９４７号公報
【発明の開示】
【発明が解決しようとする課題】
【０００５】
前記従来技術の洗濯物干しハンガーは、各洗濯ばさみを牽引する牽引紐が、各洗濯ばさみの一方の作用部に直接取り付けられているため、この多数の洗濯ばさみを同時に開く際には、前記バネ材の付勢力に抗して、各一方の作用部を各他方の作用部へ直接引きこむ力でレバーを引く必要があるため、大きな力が必要となるという問題点がある。
【０００６】
そこで、本発明は、前記従来技術よりも小さな力で、多数の洗濯ばさみの挟持部を同時に開くことができる洗濯物干しハンガー提供することを目的とするものである。
【課題を解決するための手段】
【０００７】
前記の課題を解決するために、請求項１記載の発明は、開閉軸を中心として開閉し、洗濯物を挟持する一対の挟持部と、閉じることにより前記挟持部を開く一対の作用部と、前記挟持部を閉方向に付勢する付勢部材と、を有する洗濯ばさみを複数個、支持枠に対して吊下げた洗濯物干しハンガーであって、
前記一方の作用部に第１連結紐の長手方向の一方を取付け、他方の作用部に第２連結紐 の長手方向の一方を取付け、
両連結紐の一部が内部に挿通されるとともに、両連結紐に対して移動可能な締め部材を設け、該締め部材内に、各連結紐に当接し、かつ、この連結紐の移動とともに回転する回転体を少なくとも２個設け、
前記連結紐の長手方向の一方を、前記支持枠方向に移動させる牽引手段を有し、
前記牽引手段により、両連結紐の長手方向の一方を支持枠方向に移動させると、前記締め部材が前記支持枠方向に移動し、前記締め部材が、前記支持枠に当接した後も、更に、前記牽引手段により、両連結紐の長手方向の一方を支持枠方向に移動させると、前記挟持部を開くことを特徴とするものである。
【０００８】
請求項２記載の発明は、請求項１記載の発明において、前記洗濯物干しハンガーは、開閉可能な取外し具を備え、
前記取外し具は、前記牽引手段に係止し、
前記取外し具を閉じることにより、前記両連結紐の長手方向の一方を、支持枠方向に移動させて、前記挟持部が開くことを特徴とするものである。
【発明の効果】
【０００９】
本発明によれば、牽引手段により、両連結紐の長手方向の一方を支持枠方向に移動させると、前記締め部材が前記支持枠に移動し、前記締め部材が、前記支持枠に当接した後も、更に、前記牽引手段により、両連結紐の長手方向の一方を支持枠方向に移動させると、前記挟持部を開くようにするとともに、連結紐が締め部材内の回転体と当接していることにより、牽引手段により連結紐を移動させる際の摩擦力等を低減でき、前記従来技術の洗濯物干しハンガーと比較して、手動で牽引手段を動かす力が小さくてよく、多数の洗濯ばさみの挟持部を、容易に一度に開くことができる。
【図面の簡単な説明】
【００１０】
【図１】本発明の実施例１に係る洗濯物干しハンガーの斜視図で、フックを外した状態の図。
【図２】図１のＧ−Ｇ線部分断面図。
【図３】図１の状態から、蓋体を取外した状態の上面図。
【図４】図３の斜視図。
【図５】図２の拡大部分断面図で、洗濯ばさみを閉じた状態を示す図。
【図６】図５の部分拡大断面図。
【図７】図６のＨ−Ｈ線断面図。
【図８】図５の状態から、洗濯ばさみと締め部材を支持枠方向に移動させ、洗濯ばさみを開いた状態を示す拡大部分断面図。
【図９】本発明の実施例２に係る洗濯物干しハンガーの部分側断面図。
【発明を実施するための形態】
【００１１】
本発明を実施するための形態を図に基づいて説明する。
［実施例１］
図１乃至図８は、本発明の実施例１を示す。
【００１２】
図１は、フック１０を外した状態の洗濯物干しハンガー１の斜視図である。以下において、図２の上方を上Ａ、下方を下Ｂとし、図２の右側を右Ｃ、左側を左Ｄ、図３の下方を前Ｅ、上方を後Ｆとして説明する。
【００１３】
洗濯物干しハンガー１は、図２，４に示すように、支持枠２を有し、該支持枠２から下方に多数の洗濯ばさみ３が吊下げられている。吊下げる洗濯ばさみ３の数は、任意に設定することができるが、本実施例においては４０個設けた。
【００１４】
前記洗濯ばさみ３は、図５，８に示すように、開閉軸４と、該開閉軸４を中心に開閉可能な一対の挟持部材５，５を有し、該挟持部材５は樹脂で成形されている。各挟持部材５は、その下端部に洗濯物等を挟持する挟持部６が形成され、前記挟持部材５における前記開閉軸４よりも上方には作用部７が形成されている。該作用部７は、図５に示すように、挟持部６，６が閉じた状態において、上方Ａに向うほど、外側方向に拡がるように形成され、図５に示すように作用部７，７を開いたとき挟持部６，６が閉じ、図８に示すように作用部７，７を閉じたとき挟持部６，６が開くようになっている。
【００１５】
前記挟持部材５，５には、挟持部６，６を閉方向に付勢する付勢部材８が設けられている。該付勢部材８は、挟持部６，６を閉方向に付勢することができれば任意の部材を用いることが出来、例えば、鋼線、バネ材、ゴム材等を用いることが出来、本実施例では、円弧状の鋼線を用いた。
【００１６】
前記作用部７の上端部には、洗濯ばさみ３の開閉方向（図５における左右方向）に貫通する貫通穴７ａが形成されている。一方の作用部７の貫通穴７ａには、樹脂等で形成された折り曲げ可能な第１連結紐１３の長手方向の一方の端部が挿通され、図６に示すように、その第１連結紐１３における一方の作用部７の外側には抜止部１３ａが形成されている。また、他方の作用部７の貫通穴７ａには、樹脂等で形成された折り曲げ可能な第２連結紐１４の長手方向の一方の端部が挿通され、図６に示すように、その第２連結紐１４における他方の作用部７の外側には抜止部１４ａが形成されている。
【００１７】
図５に示すように、洗濯ばさみ３が開いた状態において、前記両連結紐１３，１４の開閉方向における内側端部（他端部）は、図６に示すように、締め部材１２内に挿通され、両連結紐１３，１４における長手方向の他方の端部は、樹脂等で形成された折り曲げ可能な吊下紐１５の下端部（一方の端部）に、締め部材１２内で連結されている。
【００１８】
前記締め部材１２は、図６に示すように、洗濯ばさみ３の開閉方向（左右方向）に貫通し、その両側に開口部を有する貫通穴１２ａと、該貫通穴１２ａと上Ａ端部とを連通し上Ａ方に開口部を有する穴１２ｂが形成されている。また、締め部材１２内で、貫通穴１２ａの上方には、図６，７に示すように、前記穴１２ｂと直交する方形の凹部１２ｃが形成されている。
【００１９】
前記凹部１２ｃ内の左右方向の両側部には、洗濯ばさみ３の開閉方向と直交する前後方向を、回転軸１７ａとする回転体１７が２個、離間して並設され、該回転体１７の周面の一部は、前記貫通孔１２ａと穴１２ｂ内に位置するように配置されている。前記回転体１７は、回転軸１７ａを中心として回転可能であれば、球状、円柱状等任意の形状とすることができ、本実施例においては、円筒状に形成した。
【００２０】
前記第１連結紐１３は、前記締め部材１２の左側開口部から、貫通穴１２ａ内に挿通され、前記回転部材１７の周面の下部に当接し、上方に湾曲した後に、吊下紐１５の下端部に連結している。前記第２連結紐１４は、前記締め部材１２の右側開口部から、貫通穴１２ａ内に挿通され、前記回転部材１７の周面の下部に当接し、上方に湾曲した後に吊下紐１５の下端部に連結している。吊下紐１５は、前記締め部材１２の上側開口部から、穴１２ｂ内に挿通されている。なお、前記回転体１７は、各連結紐１３，１４に当接し、かつ、各連結紐１３，１４の移動方向に回転できるように配置されていれば良く、回転体１７の数は、少なくとも２個であれば任意の数にに設定し、また、回転体１７の位置も、締め部材１２に取付けられるとともに、各連結紐１３，１４に当接し、かつ、各連結紐１３，１４の移動方向に回転できるように配置されていれば任意の位置に設けることができる。
【００２１】
前記吊下紐１５の他端部（上端部）は、後述する穴３４に挿通され、後述するケース２１の溝３３内の牽引線材２２に連結されている。
【００２２】
前記支持枠２は、ケース２１と蓋体２３とで構成されている。前記ケース２１は、図２〜４に示すように、左側ケース２１ａと右側ケース２１ｂを有し、左右ケース２１ａ，２１ｂは回転軸２５で連結されている。ケース２１は、図２〜４に示す状態から、回転軸２５を中心としてケース２１の左右方向（Ｃ−Ｄ方向）の中央が上Ａ方に、ケース２１の両端部が下Ｂ方に向って回動することにより、ケース２１を折り畳むことができるようになっている。また、左右のケース２１ａ，２１ｂは、図２〜４に示すように、後述する棧３０，３０のストッパー部３０ａ，３０ａが当接して、略水平となる状態を保持することができるようになっている。
【００２３】
左右ケース２１ａ，２１ｂは、夫々に左右方向（Ｃ−Ｄ方向）に並行して設けられた４本の主枠を有している。左側ケース２１ａの４本の主枠２７の外側端部（左Ｄ側端部）は、側枠２８で連結されている。右側ケース２１ｂの４本の主枠２７の外側端部（右Ｃ側端部）は、側枠２８で連結されている。左側ケース２１ａの４本の主枠２７のうち、図３の前Ｅ側２本の主枠２７，２７相互と、後Ｆ側２本の主枠２７，２７相互は、左右方向（Ｃ−Ｄ方向）の中央側端部において夫々棧３０で連結され、右側ケース２１ｂの４本の主枠２７のうち、前Ｅ側２本の主枠２７，２７相互と、後Ｆ側２本の主枠２７，２７相互は、左右方向（Ｃ−Ｄ方向）の中央側端部において夫々棧３０で連結され、隣接する主枠２７，２７間には、補強部材３１が設けられている。左側ケース２１ａの前後方向（Ｅ−Ｆ方向）の中央部の補強部材３１と、右側ケースの２１ｂの前後方向（Ｅ−Ｆ方向）の中央部の補強部材３１との間隔は、両ケース２１ａと２１ｂが略水平となった状態において、所定量離間するように形成され、支持枠２の中央部に、使用者の手を挿入することができる空間３５が形成されている。
【００２４】
前記各主枠２７は、図２〜６に示すように、断面が略方形で長尺に形成され、その長手方向が左右方向（Ｃ−Ｄ方向）に位置するように設けられている。夫々の主枠２７の中央側端部には上Ａ側部と前後Ｅ、Ｆ側部が開口し、左右方向（Ｃ−Ｄ方向）及び下面が閉塞する切欠き３２が形成されている。また、夫々の主枠２７には、その上Ａ面のみが開口する溝３３が長手方向に形成され、溝３３の中央側端は切欠き３２と連通し、溝３３の外側端部は閉塞している。
【００２５】
また、前記主枠２７の長手方向（Ｃ−Ｄ方向）には、図２に示すように、溝３３の底面と、主枠２７の下面とを連通する穴３４が、適宜間隔を有して複数設けられている。この穴３４の個数、及びその間隔は任意に設定し、本実施例においては、穴３４を、５個、長手方向に略等間隔となるように設けた。
【００２６】
前記溝３３内には、ワイヤ等の鋼線などからなる牽引線材２２が、左右方向（Ｃ−Ｄ方向）に移動可能に設けられ、その左右方向の外側端は、最も外側に位置する穴３４より外側に位置し、その左右方向の中央側端は、引手部材３８に連結されている。
【００２７】
牽引線材２２の外側端部と、溝３３の左右方向の外側端面との間には、圧縮コイルスプリング等の付勢部材３６が設けられ、該付勢部材３６により、牽引線材２２は左右方向の外側方向に付勢されている。この牽引線材２２には、前記夫々の吊下紐１５の上端が固定されている。前記左側ケース２１ａにおける前後方向の４個の切欠き３２に亘って、棒状の引手部材３８が、切欠き３２の左右方向（長手方向）に移動可能に設けられ、前記右側ケース２１ｂにおける前後方向の４個の切欠き３２に亘って、棒状の引手部材３８が、切欠き３２の左右方向（長手方向）移動可能に設けられている。また、各切欠き３２の底面には、案内溝３２ａが左右方向に形成され、該案内溝３２ａには、前記引手部材３８の下部から下側方向に突出する凸部３８ａが摺動可能に係合している。
【００２８】
前記溝３３の下部における穴３４の近傍でかつ、引手部材３８側には、前後方向（Ｅ−Ｆ方向）を回転軸３７ａとする回転体３７が設けられ、この回転体１７の上部は、前記牽引線材２２に当接している。該回転体３７は、回転軸３７ａを中心として回転可能であれば、球状、円柱状等任意の形状とすることができ、本実施例においては、円筒状に形成した。
【００２９】
前記の構成により、空間３５内には、左右の引手部材３８，３８が、その相互の間隔を拡縮可能に設けられている。
【００３０】
前記ケース２１の上部には前記蓋体２３が、ネジ（図示しない）等の適宜連結手段により固設されている。この蓋体２３により、前記切欠き３２と溝３３の上面は覆われ、引手部材３８は、ケース２１と蓋体２３により、その左右方向が摺動可能に上下を挟持され、その切欠き３２の方向、すなわち、左右方向（Ｃ−Ｄ方向）のみ移動することができるようになっている。
【００３１】
前記ケース２１の４隅には固定部３９が設けられ、該固定部３９に対して吊り紐１１の一端が、回動可能に連結され、吊り紐１１の他端には、回動可能にフック１０が設けられている。
【００３２】
前記引手部材３８と、牽引線材２２により牽引手段４２を構成している。
次に、洗濯物干しハンガー１に干した洗濯物の取外し方法について説明する。
【００３３】
洗濯物干しハンガー１の支持枠２を、図１，２に示すように、左右に開き、複数の洗濯ばさみ３に洗濯物が干されている状態において、前記空間３５内に使用者の手を挿入し、引手部材３８，３８を、各付勢部材３６の付勢力に抗して、切欠き３２に沿って左右方向の中央方向（図３のＸ方向）に引いて相互間を縮めると、溝３３内の各牽引線材２２が左右方向の中央側に引かれて、牽引線材２２が、回転体３７を回転させながら移動する。
【００３４】
この牽引線材２２に連結された吊下紐１５の他端が、図４，５の状態から支持枠２の左右方向（Ｃ−Ｄ方向）中央側に引かれ、吊下紐１５の一端に連結された連結紐１３，１４が、締め部材１２と洗濯ばさみ３とともに、支持枠２方向に移動する。そして、締め部材１２の上端が、支持枠２の下面に当接した後に、更に引手部材３８を中央側に移動させると、図８に示すように、連結紐１３，１４の他端が締め部材１２の上方開口部より上Ａ方に牽引され、連結紐１３，１４の他端間の距離が徐々に狭くなることにより、一対の作用部７，７は徐々に閉じ、一対の挟持部６，６は徐々に開いて、洗濯物が洗濯ばさみ３から下方に落下して、取外すことができる。
【００３５】
このように、左右の引手部材３８，３８を引くことで、全ての洗濯ばさみ３の挟持部６，６を開き、洗濯物を一度に取外すことができる。
【００３６】
前記連結紐１３，１４が回転体１７に当接しているため、連結紐１３，１４の他端を上方に引き上げる際に、回転体１７が回転する。また、図５，８に示すように、吊下紐１５の一端が中央側方向に引かれる際に回転体３７に当接し、回転体３７を回転させながら移動する。このため、連結紐１３，１４と吊下紐１５の移動時の摩擦力を小さくでき、従来の洗濯物干しハンガーと比較して、小さな力で、引手部材３８を動かして、多数の洗濯ばさみの挟持部を一度に開き、洗濯物を一度に取外すことができる。
【００３７】
更に、洗濯物を取外した後に、両引手部材３８，３８から手を離すと、各付勢部材３６により、各牽引線材２２が左右方向の外側方向に移動するとともに、吊下紐１５と洗濯ばさみ３は下方に移動し、付勢部材８により作用部７、７が開いて、洗濯ばさみ３の挟持部６，６は閉じる。
【００３８】
また、各洗濯ばさみ３の作用部７，７を閉じることにより、挟持部６，６を開け、任意の洗濯ばさみ３に洗濯物を吊下げることができる。
【００３９】
なお、牽引手段４２は、吊下紐１５の一端を支持枠２（上側）方向に移動させて、締め部材１２を支持枠２に当接させた後も、更に、吊下紐１５の一端を支持枠２（上側）方向に移動させることができれば、任意の構造とすることができる。
【００４０】
例えば、牽引線材２２により、複数の吊下紐１５の上端を左右方向（Ｃ−Ｄ方向）に移動させるのではなく、複数の吊下紐１５の上端を連結した牽引線材２２を上Ａ方に移動させることにより、吊下紐１５を支持枠２方向に移動させて、締め部材１２を支持枠２（上方）に移動させるようにしてもよい。
【００４１】
なお、両連結紐１３，１４の他端を吊下紐１５に連結させず、牽引線材２２に直接連結するようにしてもよい。
【００４２】
また、両連結紐１３，１４の一端を、作用部７に対して固着するようにしても良い。
また、前記貫通穴７ａは、両端部に開口部を有していれば良く、図６に示す直線状の穴以外にも、中央部から両開口部に向うほど下方に傾斜する穴等任意に形成することができる。
【００４３】
［実施例２］
図９は実施例２を示す。
本実施例２は、前記実施例１における左右の引手部材３８，３８間に、Ｘ字状の取外し具５０を設けたものである。
【００４４】
該取外し具５０は、図９に示すように、一対の構成部材５１，５１を有し、両構成部材５１と５１は、回転軸５２を中心として、回動可能にＸ字状に連結されている。回転軸５２は、前記引手部材３８の中心軸と略並行に設けられている。前記両構成部材５１，１５の上端部５３は略円状に形成され、引手部材３８，３８に対して、その中心軸を中心として回転可能に連結されている。
【００４５】
前記構成部材５１，５１の下端部５４，５４を閉じることにより、左右の引手部材３８と３８は、切欠き３２に沿って、中心方向に移動し、多数の洗濯ばさみの挟持部を一度に開き、洗濯物を一度に取外すことができる。
【００４６】
その他の構造は前記実施例１と同様であるため、その説明を省略する。
本実施例２においても前記実施例１と同様の効果を奏する。
【００４７】
本実施例２は、前記取外し具５０を設けたことにより、前記実施例１よりも容易に左右の引手部材３８と３８を、左右方向の中央側に移動させて、容易に洗濯物を取外すことができる。
【符号の説明】
【００４８】
１  洗濯物干しハンガー
２  支持枠
３  洗濯ばさみ
４  開閉軸
６  挟持部
７  作用部
８  付勢部材
１２  締め部材
１３  第１連結紐
１４  第２連結紐
１７  回転体
４１  牽引手段
５０  取外し具
【図１】
2013000481.tif 000003
【図２】
2013000481.tif 000004
【図３】
2013000481.tif 000005
【図４】
2013000481.tif 000006
【図５】
2013000481.tif 000007
【図６】
2013000481.tif 000008
【図７】
2013000481.tif 000009
【図８】
2013000481.tif 000010
【図９】
2013000481.tif 000011